(57)【要約】      （修正有）【課題】従来のゴム等の軟質材を貼り付けたものや粘着性のあるインキを塗布したものを改善し安定して使え、紙面を擦って汚してしまうということがなく、構造が簡単で、製造コストが安く、操作性も良い滑り止め定規を提供する。【解決手段】合成樹脂にウレタンビーズを含有した滑り止め層８がスクリーン印刷により定規本体２の裏面に塗布されている。ウレタンビーズは２０〜３０％含有していること、またウレタンビーズの粒子径は２〜５０μｍであり、かつウレタンビーズの粒子径は１０〜１５μｍの場合に滑り止め層の層厚が２０μｍであることが望ましい。【選択図】図２
0003128910.tif 000002
【実用新案登録請求の範囲】
【請求項１】
合成樹脂にウレタンビーズを含有した滑り止め層がスクリーン印刷により定規本体の裏面に塗布されてなることを特徴とする滑り止め定規。
【請求項２】
ウレタンビーズが２０〜３０％含有している請求項１に記載の滑り止め定規。
【請求項３】
ウレタンビーズの粒子径が２〜５０μｍであり、かつウレタンビーズの粒子径が１０〜１５μｍの場合に滑り止め層の層厚が２０μｍである請求項１又は２に記載の滑り止め定規。
【請求項４】
目盛等からなる印刷層が定規本体の裏面に滑り止め層によって覆われて設けられている請求項１ないし３のいずれかに記載の滑り止め定規。
【請求項５】
目盛等からなる印刷層が０目盛を定規本体の長さ方向中央寄りに位置させて設けられている請求項４に記載の滑り止め定規。
【考案の詳細な説明】
【技術分野】
【０００１】
この考案は、例えば用紙等の紙の上に置いて上から軽く押えたときに紙面を滑りにくくてピタッとフィットし、定規の辺を利用した線引き作業やカッティング作業が容易に行えるとともに、該作業以外に紙の上を移動するときは紙面を滑らせてスムーズに動かすことができる滑り止め定規に関するものである。
【背景技術】
【０００２】
従来、この種の滑り止め定規として、ゴム等の軟質材を定規本体の裏面に貼り付けたものや粘着性のあるインキを塗布したものが知られている。しかし、前者のものは定規本体の裏面に凹凸ができて、定規が安定しない。また、滑り止めゴムの上の部分を押えないといけないし、定規本体をずらすときにゴムが紙面を擦って汚してしまったり、ゴムに汚れが付きやすく、汚れると効果が少なくなるうえ、ゴムの下の紙面が見えにくくなるという難点がある。後者のものは紙面にくっついてしまい、ずらしにくいし、粘着材の部分がすぐに汚れて効果がなくなるとともに、定規をずらすときに紙面を汚してしまい、粘着材が定規から取れ易いという難点があった。
【０００３】
前記のような状況に鑑み、本出願人は、嘗て滑り止めとして有効であり、紙の上の移動もスムーズに行うことができる滑り止め機構付き定規を提供した（特許文献１参照）。この特許文献１に記載された定規は、定規をずらすときは滑り材が浮上していて、押えるときだけ紙面に触れるように工夫したものであって、特許文献１の図３にその要部が示されているように、定規本体の適所に開口部が設けられ、この開口部に上方からの押圧により下面を定規本体の底面から突出させる滑り止め材が上下移動可能に配置され、この滑り止め材を通常時には下面が定規本体の底面から突出しない上方位置に、かつ使用時には下面が定規本体の底面から突出する下方位置に、それぞれ水平を保った状態で位置可能なように保持する保持部が定規本体の表面と連結されているものである。
【０００４】
しかしながら、前記の滑り止め機構付き定規は、穴開け作業によって定規本体に開口部を設けたり、該開口部に配置する滑り止め機構を別途製作しなければならない等、構造が複雑となる。また、定規の厚みも自ずと厚くなってしまい製造コストがかかるうえ、滑り止めには、所定の押え部を押えなければならない等、操作性もあまりよくなく、課題の多いものであった。
【０００５】
【特許文献１】特開２００４−３３０３３２号公報
【考案の開示】
【考案が解決しようとする課題】
【０００６】
そこでこの考案は、前記従来の問題を解決することができ、従来のゴム等の軟質材を貼り付けたものや粘着性のあるインキを塗布したもののように、定規本体の裏面に凹凸ができて定規が安定しないとか、紙面を擦って汚してしまうということがないのは勿論、従来の滑り止め機構付きのもののように、構造が複雑で、製造コストがかかり、操作性も悪いということもない滑り止め定規を提供することを目的とする。
【課題を解決するための手段】
【０００７】
前記課題を解決するために、請求項１に記載の考案は、合成樹脂にウレタンビーズを含有した滑り止め層がスクリーン印刷により定規本体の裏面に塗布されてなることを特徴とする。
【０００８】
請求項２に記載の考案は、請求項１において、ウレタンビーズが２０〜３０％含有していることを特徴とする。請求項３に記載の考案は、請求項１又は２において、ウレタンビーズの粒子径が２〜５０μｍであり、かつウレタンビーズの粒子径が１０〜１５μｍの場合に滑り止め層の層厚が２０μｍであることを特徴とする。
【０００９】
請求項４に記載の考案は、請求項１ないし３のいずれかにおいて、目盛等からなる印刷層が定規本体の裏面に滑り止め層によって覆われて設けられていることを特徴とする。請求項５に記載の考案は、請求項４において、目盛等からなる印刷層が０目盛を定規本体の長さ方向中央寄りに位置させて設けられている。
【考案の効果】
【００１０】
この考案は、前記のようであって、合成樹脂にウレタンビーズを含有した滑り止め層がスクリーン印刷により定規本体の裏面に塗布されてなるため、従来のように滑り止め機構を別途製作する必要などなくて構造が複雑となることがなく、簡素でシンプルな構造の定規となる。また、滑り止め層の塗布をスクリーン印刷で行うため、製造コストも安価である。さらに、従来のように決まった押え部を押さえるようなこともないので、操作性も優れたものとなるという効果が期待できる。
【考案を実施するための最良の形態】
【００１１】
この考案の一実施の形態を、添付した図面を参照しながら詳細に説明する。
【００１２】
図１は滑り止め定規の全体平面図、図２は図１のＡ−Ａ線に沿う断面図、図３は図２の一点鎖線部の部分拡大断面図である。
【００１３】
１は滑り止め定規で、その透明な合成樹脂からなる定規本体２の長さ方向の一辺及び他辺近くには該辺に沿ってそれぞれ印刷層としての長さ目盛３，４がスクリーン印刷により印刷されて配置されている。一辺近くの目盛３は定規本体２の一端近くに０（ゼロ）目盛が位置するようにそこから他端近くまで全長の長さが３０ｃｍとなるように設けられている。また、他辺近くの目盛４は０目盛を定規本体２の長さ方向中央寄りに位置させて、全長が２０ｃｍとなるように左右対称に設けられている。すなわち、この他辺には目盛４が定規本体２の両端部に設けられないようにして、換言すると目盛４の０目盛が一辺の目盛３の２５目盛と対応するように、全長目盛の基準となる０目盛をなるべく中央寄りにして設けられ、０目盛からそれを基準とする線を引き易く、また読み易くしている。定規本体２の合成樹脂としては、例えば、メタクリル樹脂、塩化ビニル樹脂、ＰＥＴ樹脂などが好ましい。
【００１４】
定規本体２の裏面全面には硬化樹脂の一種である紫外線硬化樹脂６にウレタンビーズ７を２０〜３０％含有した滑り止め層８がスクリーン印刷により塗布されている。ウレタンビーズ７の粒子径は２〜５０μｍであるのが好ましい。また、ウレタンビーズ７の粒子径が１０〜１５μｍの場合、滑り止め層８の層厚は２０μｍであるのが好ましい。この滑り止め層８が塗布される際、前記目盛３，４は定規本体２の裏面に滑り止め層８によって覆われる。滑り止め層８をウレタンビーズ７とともに構成する紫外線硬化樹脂６は好ましい一例であって、ほかに硬化樹脂など他の合成樹脂としてもよい。
【００１５】
滑り止め層８の塗布はスクリーン印刷により行うので、定規本体２の裏面全面でも、あるいは所定の範囲に部分的でも行うことが可能である。部分的というのは、例えば、目盛３又は４のある定規本体２の一辺又は他辺近くであるが、これに限るものではない。また、スクリーン印刷によるため、定規本体２の厚さが薄くても塗布が可能であるとともに、従来のゴムや粘着材に比べ、汚れが付きにくく、紙面を汚しにくい。しかも、塗布に際しては、接着剤を一切使用しないので、一旦塗布すると剥がれる心配もない。滑り止め層８もメジウムやマットベースなどの透明なインクを使えば、透明又は半透明に仕上がるので、透明プラスチックに塗布した場合は、紙面を隠さない。
【００１６】
スクリーン印刷によって滑り止め層８を定規本体２の裏面に塗布するには、ウレタンビーズ７を２０〜３０％含有したインクを用いる。そして、インクが塗布されると、前記のようにウレタンビーズ７の粒子径が１０〜１５μｍの場合、通常は滑り止め層８は約２０μｍほどになる。版の紗のメッシュはウレタンビーズ７が十分通過できる大きさのものでなければならない。
【００１７】
使用に際しては、定規を使用する場所、例えば用紙等の紙の上に置き、少し動かしながらセット位置を定める。定規の位置が定まったら上から軽く押圧すると、裏面の滑り止め層８が紙面に圧接して滑りにくいものとなる。滑り止め層８は定規本体２の裏面全面に塗布されており、裏面に段差が形成されないため、定規本体２のどこを押しても滑り止め効果が発揮できる。前記の滑りにくさは滑り止め層８の凹凸と紙面の凹凸が圧接により密着することによるものと想像される。したがって、定規本体２の一辺又は他辺近くにある目盛３又は４を利用しての線引きやカッティング作業を安定した状態で行うことができる。一方、所定の使用を終えたときは、上からの押圧をやめればよく、このように上から圧力を加えなければ、紙面上で滑りにくくはならないので、紙面上を無理なく動かすことができる。
【００１８】
滑り止め層８は全面に印刷することによって目盛３，４を覆って保護することとなるため、目盛３，４の磨耗防止や傷の防止に効果があり、目盛３，４が磨耗して消える等のことがない。また、滑り止め層８は特に紙面に対して効果があり、動かすときには普通に滑り、上から押圧したときだけ滑りにくくなるので、滑り止め定規としては最適である。
【００１９】
これまでは３０ｃｍ定規で２０ｃｍ以下の線を引くときに、定規の端だけを使用したり、１０ｃｍの目盛を０目盛として線を引くことが多かったため、使いにくく、うっかり長さを間違えたりすることがあったが、前記のように通常の３０ｃｍの目盛の反対側に０目盛を中央寄りに寄せて設けたものでは、短い線を引くときでも定規の端は使わずに、中央付近を使用するため、使い易いものとなる。
【００２０】
図４，５は別の実施の形態を示し、前記の図１，２と対応している。すなわち、この実施の形態の滑り止め定規１１は、滑り止め層１８が前記実施の形態のように定規本体１２の裏面全面ではなく、前記目盛３に相当する目盛１３を覆うことなく、該目盛のある部分と定規本体１２の縁辺以外のその裏面に塗布されている。滑り止め層１８は、透明色などの薄い着色が施されて、透明色で目盛１３のある部分等と識別されるようにしている。尚、この実施の形態においては、目盛は前記目盛３に相当する目盛１３だけを有し、目盛４に相当する目盛は有していない。そのほかの構成は、前記実施の形態と同様になっている。
【００２１】
この実施の形態のように滑り止め層１８が定規本体１２の裏面全面に塗布されていないものでも、同様な作用効果が期待できる。
【００２２】
前記各実施の形態は好ましい一例を示したにすぎず、ウレタンビーズ７の粒子径や、該粒子径と滑り止め層８の配合比率等は任意である。また、印刷層の目盛３，４，１３も好ましい一例であって、必ずしも目盛でなくともよい。さらに、細部の構成は、実施に際し、実用新案登録請求の範囲の記載の範囲内で任意に修正、変更することができるものである。
【図面の簡単な説明】
【００２３】
【図１】この考案の一実施の形態を示す、滑り止め定規の全体平面図である。
【図２】図１のＡ−Ａ線に沿う断面図である。
【図３】図２の一点鎖線部の部分拡大断面図である
【図４】別の実施の形態を示す、滑り止め定規の全体平面図である。
【図５】図４のＢ−Ｂ線に沿う断面図である。
【符号の説明】
【００２４】
１，１１  滑り止め定規
２，１２  定規本体
３，４，１３  目盛（印刷層）
６  紫外線硬化樹脂
７  ウレタンビーズ
８，１８  滑り止め層
【図１】
0003128910.tif 000003
【図２】
0003128910.tif 000004
【図３】
0003128910.tif 000005
【図４】
0003128910.tif 000006
【図５】
0003128910.tif 000007
【手続補正書】
【提出日】平成18年11月16日(2006.11.16)
【手続補正１】
【補正対象書類名】実用新案登録請求の範囲
【補正対象項目名】全文
【補正方法】変更
【補正の内容】
【実用新案登録請求の範囲】
【請求項１】
合成樹脂にウレタンビーズ（登録商標）を含有した滑り止め層がスクリーン印刷により定規本体の裏面に塗布されてなることを特徴とする滑り止め定規。
【請求項２】
ウレタンビーズ（登録商標）が２０〜３０％含有している請求項１に記載の滑り止め定規。
【請求項３】
ウレタンビーズ（登録商標）の粒子径が２〜５０μｍであり、かつウレタンビーズ（登録商標）の粒子径が１０〜１５μｍの場合に滑り止め層の層厚が２０μｍである請求項１又は２に記載の滑り止め定規。
【請求項４】
目盛等からなる印刷層が定規本体の裏面に滑り止め層によって覆われて設けられている請求項１ないし３のいずれかに記載の滑り止め定規。
【請求項５】
目盛等からなる印刷層が０目盛を定規本体の長さ方向中央寄りに位置させて設けられている請求項４に記載の滑り止め定規。
【手続補正２】
【補正対象書類名】明細書
【補正対象項目名】０００７
【補正方法】変更
【補正の内容】
【０００７】
前記課題を解決するために、請求項１に記載の考案は、合成樹脂にウレタンビーズ（登録商標）を含有した滑り止め層がスクリーン印刷により定規本体の裏面に塗布されてなることを特徴とする。